【事件の表示】
　平成１１年特許願第３２０１４５号「インクカートリッジ、インクジェット式記録装置、インク供給システム」拒絶査定不服審判事件〔平成１３年　４月２４日出願公開、特開２００１−１１３７２３〕について、次のとおり審決する。
【結　論】
　本件審判の請求は、成り立たない。
【理　由】
１．手続の経緯 
　本願は、平成１１年１１月１０日（優先権主張　平成１０年１１月１１日、平成１１年３月４日、平成１１年８月１２日）の特許出願であって、最初の拒絶理由通知に応答して平成１６年９月２４日付けで手続補正がされ、最後の拒絶理由通知に応答して平成１７年８月１９日付けで手続補正がされたが同年１１月１０日付けで平成１７年８月１９日付けの手続補正が却下されるとともに同日付で拒絶査定がされ、これを不服として同年１２月１４日付けで審判請求がされたものである。
　
２．本願発明の認定 
　本願の請求項１に係る発明は、平成１６年９月２４日付けで補正された特許請求の範囲の請求項１に記載された次のとおりのものと認められる。
「【請求項１】　インク供給針を介して記録ヘッドにインクを供給する記録装置に着脱可能なインクカートリッジであって、
　インクを収容するインク室と、
　前記インク室と連通すると共に、前記インク供給針が挿抜されるインク供給口と、
　前記インク供給口内に設置され、前記インク供給針と嵌合する通孔を有するパッキングと、
　前記インク供給口内に収容され、前記パッキングの前記インク室側の表面と弾接して前記通孔を、開閉可能に封止する弁体と、前記弁体を前記パッキングの前記インク室側の表面に付勢する弾性部材と、前記弁体と係合する案内部と、を備え、
　前記弁体は、前記パッキングと弾接すると共に前記インク供給針の先端と当接する弁体部と、前記弁体部に接続されると共に、前記案内部と係合して前記弁体部の移動をガイドする軸を有するガイド部と、を備えることを特徴とするインクカートリッジ。」（以下、「本願発明」という。 ） 
　
３．引用例記載の発明 
　これに対して、原査定の拒絶の理由に引用され、本願の優先権主張日前に頒布された刊行物である特開平８−１８３１８５号公報（以下、「引用例」という。）には図示と共に次の記載（ア）〜（カ）がある。
　
（ア）【請求項１】
「インクの供給を受ける供給パイプを有するプリントヘッドに装着されるインクカートリッジであって、
　連通孔を介して連通しており、インクを貯蔵する第１のチャンバ及び第２のチャンバを有するケーシングと、
　該第１のチャンバ内に設けられ、インクを負圧で保持するための多孔質体と、
　該第２のチャンバ内に設けられ、該供給パイプと接続可能な接続部とを備え、
　該接続部は、通常は閉じており、該供給パイプが該接続部に挿入されると開いて該プリントヘッドと該第２のチャンバとを連通する弁手段を有する、インクカートリッジ。」
　
（イ）【請求項２】
「前記弁手段の前記供給パイプと接触する部分は、該供給パイプが該弁手段と当接する状態で隙間が生じない形状を有する、請求項１記載のインクカートリッジ。」
　
（ウ）【請求項３】
「前記弁手段は、インクカートリッジのプリントヘッドに対する装着方向に凸の半面球形状を有する弁と、該装着方向とは反対方向に凹の球面形状を有するパッキンと、該弁を該パッキンに対して装着方向に押し付けるバネとからなる、請求項１又は２記載のインクカートリッジ。」
　
（エ）【請求項１４】
「プリントヘッドに対して装着脱可能であり、インクを貯蔵するチャンバを有するケーシングと、該チャンバ内に設けられ通常は閉じている接続部とを有するインクカートリッジを用いるインクジェットプリンタであって、
　キャリアと、
　該キャリアに取り付けられて該キャリアと共に駆動されるヘッド部とを備え、
　該ヘッド部は、１又は複数のプリントヘッドからなり、
　各プリントヘッドは、該インクカートリッジの該接続部内に挿入されインクの供給を受ける供給パイプと、ノズルと、該供給パイプから供給されたインクを該ノズルを介して吐出する吐出エネルギー発生素子とを備え、
　該供給パイプは、該接続部に当接した状態で隙間を生じない形状の先端部と、該先端部に設けられ該接続部内に挿入された状態で該チャンバ内に開口する１又は複数の孔とを有する、インクジェットプリンタ。」
　
（オ）【００３９】
「しかし、本実施例では、好ましい形態として、弁１８及びパッキン１９は夫々好ましくは硬度が４０度〜７０度のエチレンプロピレンゴムからなる。図４において、インクカートリッジ１１をプリントヘッド１に対して更に矢印Ａ方向へ挿入すると、図５に示す如き状態となる。この状態では、弁１８は供給パイプ２によりコイルバネ１７に反して図中上方に押し上げられており、供給パイプ２の先端に設けられた孔２ａはチャンバ１３内で開口する。従って、チャンバ１３内のインクは孔２ａを介してプリントヘッド１に供給される。尚、供給パイプ２の孔２ａは、１つ設けても複数設けても良く、孔２ａの大きさ、形状及び位置は本実施例のものに限定されるものではない。要は、インクカートリッジ１１が図５に示すように完全にプリントヘッド１に装着された状態で、チャンバ１３内のインクが供給パイプ２の孔２ａを介してプリントヘッド１に良好に供給されれば良く、孔２ａの大きさ、形状及び位置は使用されるインク等に応じて任意に設定すれば良い。」
　
（カ）【００４０】
「インクカートリッジ１１は、上記と逆の操作を行うことにより、プリントヘッド１から取り外すことができる。チャンバ１３は、インクカートリッジ１１がプリントヘッド１から取り外された通常の状態では、コイルバネ１７のバネ力で弁１８がパッキン１９に密着しているので、インクカートリッジ１１の外部に対して密閉されている。従って、この状態では、インクが接続部１６を介してインクカートリッジ１１の外部に漏れることはない。」
　
　上記（オ）・（カ）によれば、インクカートリッジ１１はプリントヘッド１に着脱可能である。
　
　上記（ア）に、第１のチャンバ及び第２のチャンバはインクを貯蔵するとあるから、２つを合わせてインク室と呼べる。
　
　上記（ア）に、（インク室の一部分である）第２のチャンバ内の接続部に供給パイプが挿入されるとあるから、接続部は、インク室に連通すると共に、供給パイプが挿抜される。
　
　上記（エ）によれば、引用例記載のインクカートリッジはインクジェットプリンタのプリントヘッドにインクを供給するものである。
　
　図４からは、接続部１６内に設置されたパッキン１９の通孔に供給パイプ２が嵌合すること、パッキン１９の第１のチャンバ１２と第２のチャンバ１３のある側の表面に弁１８がコイルバネ１７で弾接されて前記通孔が閉じられていること、コイルバネ１７は一端が弁１８と接続され、他端が第１のチャンバ１２と第２のチャンバ１３の境の壁から突出する部分に固定されていることが看取される。
　弁１８がコイルバネ１７で弾接されて通孔が閉じられる点は、上記（カ）にも記載されている。
　
　図４と図５からは、インクカートリッジ１１にプリントヘッド１１の供給パイプ２を挿入すると、弁１８に当接する供給パイプ２の先端が弁１８を押して前記通孔を開くことが看取される。
　弁１８が供給パイプ２によりコイルバネ１７に反して上方に押し上げられる点は、上記（オ）にも記載されている。
　
　してみるに、引用例には、以下の発明が記載されていると認められる。
「供給パイプを介してプリントヘッドにインクを供給するインクジェットプリンタに着脱可能なインクカートリッジであって、
　インクを収容するインク室と、
　前記インク室と連通すると共に、前記供給パイプが挿抜される接続部と、
　前記接続部内に設置され、前記供給パイプと嵌合する通孔を有するパッキンと、
　前記接続部内に収容され、前記パッキンの前記インク室側の表面と弾接して前記通孔を、開閉可能に封止する弁と、前記弁を前記パッキンの前記インク室側の表面に付勢するバネと、を備え、
　前記弁は、前記パッキンと弾接すると共に前記供給パイプの先端と当接する、インクカートリッジ」（以下、引用発明という。）
　
 ４．対比 
　本願発明と引用発明とを比較する。
　
　引用発明の「プリントヘッド」、「インクジェットプリンタ」、「パッキン」、「バネ」は、本願発明の「記録ヘッド」、「記録装置」、「パッキング」、「弾性部材」に相当する。
　
　引用発明の「接続部」は、インク室と連通すると共に、供給パイプが挿抜される部分であり、本願発明の「インク供給口」は、インク室と連通すると共に、インク供給針が挿抜される部分であるから、挿抜されるのが「供給パイプ」であるか「インク供給針」であるかの違いはあるものの、インク室と連通すると共に、インクカートリッジから記録ヘッド（プリントヘッド）へインクを供給する、「インク供給部」である点で、本願発明の「インク供給口」と共通している。
　
  引用発明の「供給パイプ」は、記録ヘッド（プリントヘッド）側にあり、「インク供給部」とつながってインクカートリッジから記録ヘッド（プリントヘッド）へインクを供給する「インク供給管」である点で、本願発明の「インク供給針」と共通している。
　
　引用発明の「弁」は、インク供給部内に収容され、パッキングのインク室側の表面と弾接して通孔を開閉可能に封止し、パッキングと弾接すると共にインク供給管の先端と当接する「弁部材」である点で、本願発明の「弁体」と共通している。
　
　すると、本願発明と引用発明とは、以下の点で一致し、以下の点で相違する。　
＜一致点＞
「インク供給管を介して記録ヘッドにインクを供給する記録装置に着脱可能なインクカートリッジであって、
　インクを収容するインク室と、
　前記インク室と連通すると共に、前記インク供給管が挿抜されるインク供給部と、
　前記インク供給部内に設置され、前記インク供給管と嵌合する通孔を有するパッキングと、
　前記インク供給部内に収容され、前記パッキングの前記インク室側の表面と弾接して前記通孔を、開閉可能に封止する弁部材と、前記弁部材を前記パッキングの前記インク室側の表面に付勢する弾性部材と、を備え、
　前記弁部材は、前記パッキングと弾接すると共に前記インク供給管の先端と当接する、インクカートリッジ」
　
＜相違点＞
（ｉ）「インク供給部」が、本願発明では「インク供給針が挿抜されるインク供給口」と特定されているのに対して、引用発明では「供給パイプが挿抜される接続部」であって、当該特定を有しない点。
　
（ｉｉ）「インク供給部」に挿抜され、パッキングの通孔と嵌合し、その先端が弁部材と当接する「インク供給管」が、本願発明では「インク供給針」と特定されているのに対して、引用発明では「供給パイプ」であって、当該特定を有しない点。
　
（ｉｉｉ）本願発明は、「前記弁体と係合する案内部と、を備え、前記弁体は、前記パッキングと弾接すると共に前記インク供給針の先端と当接する弁体部と、前記弁体部に接続されると共に、前記案内部と係合して前記弁体部の移動をガイドする軸を有するガイド部と、を備える」と特定されているのに対して、引用発明は、「案内部」を備えておらず、かつ、弁部材が弁体部とガイド部とから構成されていないことから、当該特定を有しない点。
　　
５．当審の判断
相違点（ｉ）、（ｉｉ）について
　本願発明はインクカートリッジの発明であって、インクカートリッジのインク供給部に挿抜される「インク供給針」は本願発明の構成要素ではない。　しかしながら、本願発明では、「インク供給管」である「インク供給針」に関連して、「インク供給針が挿抜されるインク供給口」、「インク供給針と嵌合する通孔を有するパッキング」、「インク供給針の先端と当接する弁体部」、とされており、このことが、例えば、「インク供給針が挿抜されるにふさわしい（形状、材質等の）インク供給口」、「インク供給針が嵌合するにふさわしい（形状の）通孔を有する（ふさわしい材質等の）パッキング」、「インク供給針の先端と当接するにふさわしい（形状、材質等の）弁体部」、というように、インクカートリッジ側の構成を限定することを意図しているとも考えられるので、以下、検討を続ける。
　
　インクカートリッジの「インク供給部」に挿抜される「インク供給管」として、「インク供給針」も「供給パイプ」も周知である。例えば、前者については、特開平８−１３２６４１号公報、特開平８−１８７８７５号公報、後者については、特開平６−８４６３号公報、特開平８−２０１１４号公報を挙げることができる。
　そして、「インク供給管」として「供給パイプ」ではなく「インク供給針」を採用するのであれば、インクカートリッジ側の構成をインク供給針にふさわしいものにするのは当然である。
　
　よって、引用発明において、「インク供給管」として「供給パイプ」の替わりに「インク供給針」を用い、本願発明の相違点（ｉ）、（ｉｉ）に係る構成を備えることは、引用例の記載及び周知技術に基づいて、当業者が容易に想到し得たことである。
　
相違点（ｉｉｉ）について
　引用発明において、弁の動きは予定とおりに動くことが要求されるのは自明であるから、孔を開閉する弁の働きをなす弁体部の動きを案内する案内部を設けることは、技術常識に基づいて、当業者が容易に想到し得たことである。
　
　そして、案内部と係合して弁体部の移動をガイドする部分の構成を、軸を有するガイド部とすることは弁一般の技術において周知である。
　例えば、実願昭５８−７６１３７号（実開昭５９−１８１３７７号）のマイクロフィルム、特開平９−２６０４４号公報が挙げられる。
　前者記載のものでは、弁受け３、弁脚２、弁板１が、それぞれ案内部、ガイド部、弁体部に相当し、弁受け３を弁脚２から抜けないようにする抜止部２ａがあるから、弁受け３は弁脚２に係合している。
　後者記載のものでは、軸受け４、軸１１、弁体１３が、それぞれ案内部、ガイド部、弁体部に相当し、軸１１の先端に抜止めストッパ１２があるから、軸１１は軸受け４に係合している。
　
　よって、引用発明において、本願発明の相違点（ｉｉｉ）に係る構成を備えることは、引用例の記載及び技術常識、或いは周知技術に基づいて、当業者が容易に想到し得たことである。
　
　また、本願発明の効果は、引用発明及び周知技術から予測し得る範囲内のものである。
　
　以上のことから、本願発明は、引用例の記載及び技術常識、或いは周知技術に基づいて、当業者が容易に発明をすることができたものであるから、特許法第２９条第２項の規定により特許を受けることができない。
　
６．むすび
　本願発明は、特許法第２９条第２項の規定により特許を受けることができないものであるから、本願のその余の請求項に係る発明を検討するまでもなく、本願は拒絶を免れない。
　よって、結論のとおり審決する。